(57)【要約】【課題】無胴綱検知装置であって、作業エリアが短い期間で変わる場合であっても、大掛かりなシステムを設置し直す必要なく、容易且つ確実に作業員に無胴綱状態を知らせる。【解決手段】無胴綱検知装置１０は、電池電源により駆動される近距離無線通信の送受信部により、足場ＳＦの作業エリアに着脱自在に取り付けられる使用区画決定装置(NFCタグ)２０との近距離通信Ｃｅが確立されることで作業員ＷＭの胴綱使用区画（高所作業エリア等）への侵入を検知し、更に、胴綱ｔｗのフックｆにパッチ式の接着等により取り付けられる無胴綱状況判断装置(NFCタグ)３０との近距離通信Ｃｓが確立されることで作業員ＷＭの無胴綱状態を検知する。作業員ＷＭの胴綱使用区画への侵入を検知すると、侵入を報知する電子音声を出力し、更に、作業員ＷＭの無胴綱状態を検知すると、無胴綱状態を警告する電子音声を出力する。【選択図】      図１
2018143476.tif 000002
【特許請求の範囲】
【請求項１】
電池電源と、
前記電池電源により駆動され、無胴綱の検知対象となる区画に取り付けられた外部の第１の通信機器と予め設定された第１の範囲内で無線通信する第１通信手段と、
前記電池電源により駆動され、安全帯における胴綱に取り付けられた外部の第２の通信機器と予め設定された第２の範囲内で無線通信する第２通信手段と、
前記第１通信手段により前記第１の通信機器との通信が確立された状態で、前記第２通信手段により前記第２の通信機器との通信が確立された場合に、無胴綱状態を警告する無胴綱警告手段と、
を備えた無胴綱検知装置。
【請求項２】
前記第１通信手段により前記第１の通信機器との通信が確立された場合に、前記区画への侵入を報知する区画侵入報知手段を備えた、
請求項１に記載の無胴綱検知装置。
【請求項３】
前記区画侵入報知手段は、前記第１通信手段により前記第１の通信機器との通信が確立された場合に、予め設定された第１の時間の経過を判定する第１時間経過判定手段を有し、前記第１時間経過判定手段により第１の時間の経過が判定された場合に前記区画への侵入を報知する、
請求項２に記載の無胴綱検知装置。
【請求項４】
前記無胴綱警告手段は、前記区画侵入報知手段により前記区画への侵入が報知された場合に、予め設定された第２の時間の経過を判定する第２時間経過判定手段を有し、前記第２時間経過判定手段により第２の時間の経過が判定された場合に無胴綱状態を警告する、
請求項２又は請求項３に記載の無胴綱検知装置。
【請求項５】
前記安全帯に着脱自在に装着されることを特徴とする請求項１乃至請求項４の何れか１項に記載の無胴綱検知装置。
【請求項６】
前記第１の通信機器と第２の通信機器は、何れも近距離無線通信用のＩＣタグを有し、前記第１通信手段と第２通信手段は、前記電池電源により駆動され、前記ＩＣタグと近距離無線通信する送受信部を有する、ことを特徴とする請求項１乃至請求項５の何れか１項に記載の無胴綱検知装置。
【請求項７】
電池電源により駆動される装置を用いた無胴綱検知方法であって、
前記電池電源により、無胴綱の検知対象となる区画に取り付けられた外部の第１の通信機器と予め設定された第１の範囲内で無線通信すること、
前記電池電源により、安全帯における胴綱に取り付けられた外部の第２の通信機器と予め設定された第２の範囲内で無線通信すること、
前記第１の通信機器との通信が確立された状態で、前記第２の通信機器との通信が確立された場合に、無胴綱状態を警告すること、
からなる無胴綱検知方法。
【発明の詳細な説明】
【技術分野】
【０００１】
本発明の実施形態は、例えば、高所作業員が装着する安全帯のランヤード（胴綱）が未使用（無胴綱）であることを検知するための無胴綱検知装置及びその方法に関する。
【背景技術】
【０００２】
仮設足場や仮設ステージ等における高所作業、各種の機器や資材の搬出入などを行なう開口部での高所作業では、作業員の安全対策として安全帯を使用する。作業員は安全帯を装着し、この安全帯に備わるランヤード（胴綱）のフックを堅牢な手すり等に掛けることにより、万が一作業員の墜転落が発生した際、重大な災害となることを防止している。
【０００３】
しかしながら、作業員が安全帯の胴綱のフックを掛けなかったり掛けるのを忘れてしまったりした状態（無胴綱状態）では、作業員の安全を確保できない。
【０００４】
そこで、従来、作業員が高所作業エリアや危険エリアに入っている状態での安全帯の胴綱のフックが掛かっているか否かを監視し、当該フックが掛かっていない場合には警告を発する安全帯の使用状況監視システムが考えられている。
【先行技術文献】
【特許文献】
【０００５】
【特許文献１】特開２００９−１６５５１７号公報
【特許文献２】特開２０１４−００４００６号公報
【特許文献３】特開２０１４−１５０９６０号公報
【特許文献４】特開２０１５−２０４９９７号公報
【発明の概要】
【発明が解決しようとする課題】
【０００６】
従来の安全帯の使用状況監視システムでは、監視対象となる高所作業エリアの周辺に複数の送受信機器を設置したり、仮設足場の外部や出入り口に前記送受信機器により得られる情報を収集して前記エリア内での安全帯の使用状況を監視する管理コンピュータを設置したりする必要があるため、システム全体が大掛かりになる。
【０００７】
このようなシステムは、例えば大型の構造物を長期に渡り建設したり改修したりする場合であれば、長期に渡り足場も仮設したままとなるため、大掛かりなシステムであってもその設置期間も長く不具合はない。しかしながら、例えば短い工期で足場も含めて場所を移動しながら作業する場合、場所移動の都度、システム全体の設置のし直しが必要になり、このようなシステムの導入は現実的ではない問題がある。
【０００８】
本発明が解決しようとする課題は、作業エリアが短い期間で変わる場合であっても、大掛かりなシステムを設置し直す必要なく、容易且つ確実に作業員に無胴綱状態を知らせることを可能にする無胴綱検知装置及びその方法を提供することにある。
【課題を解決するための手段】
【０００９】
実施形態の無胴綱検知装置は、電池電源と、前記電池電源により駆動され、無胴綱の検知対象となる区画に取り付けられた外部の第１の通信機器と予め設定された第１の範囲内で無線通信する第１通信手段と、前記電池電源により駆動され、安全帯における胴綱に取り付けられた外部の第２の通信機器と予め設定された第２の範囲内で無線通信する第２通信手段と、前記第１通信手段により前記第１の通信機器との通信が確立された状態で、前記第２通信手段により前記第２の通信機器との通信が確立された場合に、無胴綱状態を警告する無胴綱警告手段と、を備えている。
【図面の簡単な説明】
【００１０】
【図１】実施形態の無胴綱検知装置１０を使用した作業現場での無胴綱検知システムの全体的な構成を示す外観図。
【図２】前記無胴綱検知システムの無胴綱検知装置１０と使用区画決定装置２０と無胴綱状況判断装置３０とを抜き出して示す図。
【図３】前記無胴綱検知装置１０の電子回路の構成を示すブロック図。
【図４】前記無胴綱検知装置１０の無胴綱検知処理を示すフローチャート。
【発明を実施するための形態】
【００１１】
以下、実施形態の無胴綱検知装置について、図面を参照して説明する。
【００１２】
図１は、実施形態の無胴綱検知装置１０を使用した作業現場での無胴綱検知システムの全体的な構成を示す外観図である。
【００１３】
図２は、前記無胴綱検知システムの無胴綱検知装置１０と使用区画決定装置（第１の通信機器）２０と無胴綱状況判断装置（第２の通信機器）３０とを抜き出して示す図である。
【００１４】
前記無胴綱検知システムは、無胴綱検知装置１０と、使用区画決定装置２０と、無胴綱状況判断装置３０とを含んで構成される。
【００１５】
前記無胴綱検知装置１０は、作業員ＷＭがその胴体にベルトで固定して使用する安全帯ＳＢに装着され、電源機能、通信機能（ＲＦＩＤタグ等のＮＦＣタグとの送受信機能（第１・第２通信手段））、音声出力機能を有する。
【００１６】
前記使用区画決定装置２０は、前記安全帯ＳＢの胴綱（ランヤード）ｔｗの使用を必要する区画（胴綱使用区画）である足場ＳＦの手すりの単管や親綱等に対して係止具２２により着脱自在に取り付けられ、前記無胴綱検知装置１０に対する通信応答機能（ＲＦＩＤタグ等のＮＦＣタグ２１）を有する。
【００１７】
前記無胴綱状況判断装置３０は、前記安全帯ＳＢの胴綱（ランヤード）ｔｗの先端にあるフックｆの基部に強固なパッチ式の接着等により取り付けられ、前記無胴綱検知装置１０に対する通信応答機能（ＲＦＩＤタグ等のＮＦＣタグ３１）を有する。
【００１８】
前記無胴綱検知装置１０は、通信機能（第１通信手段）を用いて前記使用区画決定装置２０とのコールバックによる近距離通信Ｃｅが確立されることにより、前記安全帯ＳＢの胴綱（ランヤード）ｔｗの使用を必要する区画（胴綱使用区画）に侵入したことを検知する。ここで、前記胴綱使用区画の範囲（第１の範囲）は、前記無胴綱検知装置１０と使用区画決定装置２０との通信可能距離により設定され、例えば半径２ｍの範囲に設定される。
【００１９】
また、前記無胴綱検知装置１０は、通信機能（第２通信手段）を用いて前記無胴綱状況判断装置３０とのコールバックによる近距離通信Ｃｓが確立されることにより、前記胴綱ｔｗのフックｆが安全帯ＳＢの近傍にあり胴綱ｔｗが使用されていない、つまり、無胴綱状態であることを検知する。ここで、前記無胴綱状態を検知する範囲（第２の範囲）は、前記無胴綱検知装置１０と無胴綱状況判断装置３０との通信可能距離により設定され、胴綱ｔｗがその巻取機Ｒｗに完全に巻き取られた状態でのフックｆ迄の距離（例えば５０ｃｍ）に応じて設定される。
【００２０】
図３は、前記無胴綱検知装置１０の電子回路の構成を示すブロック図である。
【００２１】
この無胴綱検知装置１０の電子回路は、例えば１チップの半導体集積回路ＩＣにより構成され、制御部１１、メモリ１２、送受信部（第１・第２通信手段）１３、音声出力部１４、入力部１５を備え、電池電源１６により駆動される。
【００２２】
前記制御部１１は、タイマ機能Ｔを有し、メモリ１２に記憶された無胴綱検知プログラム１２ａに従い各部の動作を制御する。前記メモリ１２には、前記無胴綱検知プログラム１２ａのデータの他に、作業員ＷＭが胴綱使用区画に侵入した状態であることを確実に判定（第１時間経過判定手段）するための使用区画侵入時間<Ｔ１>１２ｂのデータ、作業員ＷＭの胴綱使用区画への侵入を確定した後に、当該作業員ＷＭが無胴綱状態であることを確実に判定（第２時間経過判定手段）するための無胴綱時間<Ｔ２>１２ｃのデータが記憶される。
【００２３】
前記送受信部１３は、電池電源１６から供給される電圧に基づいて、前記使用区画決定装置２０のＮＦＣタグ２１との近距離通信Ｃｅ（第１通信手段）と、前記無胴綱状況判断装置３０のＮＦＣタグ３１との近距離通信Ｃｓ（第２通信手段）を行なう。
【００２４】
前記音声出力部１４は、前記制御部１１の制御に従い、作業員ＷＭの胴綱使用区画への侵入が確定した状態で区画侵入を報知する電子音声（例えば『ピヨピヨ』）を繰り返し出力し（区画侵入報知手段）、また、作業員ＷＭの無胴綱状態が確定した状態で無胴綱を警告する電子音声(例えば『無胴綱です。フックを掛けて下さい！』)を繰り返し出力する（無胴綱警告手段）。なお、区画侵入を報知する電子音声と無胴綱を警告する電子音声とは、重ねて出力してもよいし、切り替えて出力してもよい。
【００２５】
前記入力部１５は、前記使用区画侵入時間<Ｔ１>のデータと前記無胴綱時間<Ｔ２>のデータとを、それぞれ例えば２段階に切り替えるための２つの切り替えスイッチを有する。
【００２６】
このように構成された無胴綱検知装置１０は、前記制御部１１が前記無胴綱検知プログラム１２ａに記述された命令に従い各部の動作を制御し、ソフトウエアとハードウエアとが協働して動作することにより、以下の動作説明で述べるような、各種の機能を含む無胴綱検知処理を実現する。
【００２７】
次に、前記構成の無胴綱検知装置１０の動作について説明する。
【００２８】
図４は、前記無胴綱検知装置１０の無胴綱検知処理を示すフローチャートである。
【００２９】
無胴綱検知装置１０の電源スイッチ（図示せず）の操作により電源が投入されると、制御部１１による、送受信部１３と使用区画決定装置２０との近距離通信Ｃｅが確立されるか否かの判定により、作業員ＷＭの胴綱使用区画への侵入の有無が検知される（ステップＳ１）。
【００３０】
ここで、制御部１１により、送受信部１３と使用区画決定装置２０との近距離通信Ｃｅが確立されたと判定されることで、作業員ＷＭの胴綱使用区画への侵入が検知されると（ステップＳ１（Ｙｅｓ））、タイマ機能Ｔにより使用区画侵入時間<Ｔ１>の計時が開始され（ステップＳ２，Ｓ３）、制御部１１による、送受信部１３と無胴綱状況判断装置３０との近距離通信Ｃｓが確立されるか否かの判定により、作業員ＷＭが無胴綱状態にあるか否かが検知される（ステップＳ４）。
【００３１】
ここで、例えば作業員ＷＭが、胴綱使用区画に侵入した直後であったり、当該胴綱使用区画を通り過ぎただけであったりすることで、送受信部１３と無胴綱状況判断装置３０との近距離通信Ｃｓが確立され、作業員ＷＭが無胴綱状態にあると検知されると（ステップＳ４（Ｙｅｓ））、前記タイマ機能Ｔにより計時されている使用区画侵入時間<Ｔ１>が経過したか否かが判定される（ステップＳ５）。
【００３２】
そして、前記使用区画侵入時間<Ｔ１>が経過してないと判定されると（ステップＳ５（Ｎｏ））、繰り返し、前記作業員ＷＭの胴綱使用区画への侵入の有無が検知され（ステップＳ６）、引き続き前記作業員ＷＭの胴綱使用区画への侵入が検知されると（ステップＳ６（Ｙｅｓ））、繰り返し、前記作業員ＷＭが無胴綱状態にあるか否かが検知される（ステップＳ４）。
【００３３】
そして、前記作業員ＷＭが無胴綱状態にあると検知されている状態にあって（ステップＳ４（Ｙｅｓ））、前記使用区画侵入時間<Ｔ１>が経過したと判定されると（ステップＳ５（Ｙｅｓ））、音声出力部１４により、作業員ＷＭの胴綱使用区画への侵入確定を報知する電子音声『ピヨピヨ』が繰り返し出力され、作業員ＷＭに対して安全帯ＳＢの胴綱ｔｗの使用が促されると共に（ステップＳ７）、タイマ機能Ｔにより無胴綱時間<Ｔ２>の計時が開始される（ステップＳ８，Ｓ９）。
【００３４】
そして、前記作業員ＷＭが無胴綱状態にあると検知されている状態にあって（ステップＳ４（Ｙｅｓ））、前記無胴綱時間<Ｔ２>が経過したと判定されると（ステップＳ１０（Ｙｅｓ））、音声出力部１４により、作業員ＷＭの無胴綱を警告する電子音声『無胴綱です。フックを掛けて下さい！』が繰り返し出力され、作業員ＷＭに対して無胴綱の状態であることが警告される（ステップＳ１１）。
【００３５】
この後、作業員ＷＭが胴綱ｔｗのフックｆを足場ＳＦの手すりの単管や親綱等に掛けて作業を始めることで、例えば図１に示すように、当該胴綱ｔｗがその巻取機Ｒｗから引き出されて伸び、送受信部１３と無胴綱状況判断装置３０との近距離通信Ｃｓが遮断され、作業員ＷＭの無胴綱状態が検知されなくなる（解消される）と（ステップＳ４（Ｎｏ））、前記タイマ機能Ｔによる計時時間Ｔ１，Ｔ２がリセットされると共に（ステップＳ１２）、前記音声出力部１４による報知音声『ピヨピヨ』と警告音声『無胴綱です。フックを掛けて下さい！』の出力が停止される（ステップＳ１３）。
【００３６】
そうすると、前記作業員ＷＭが再び無胴綱状態になるか否かが検知される（ステップＳ１４）。
【００３７】
ここで、作業員ＷＭが、例えばそこでの作業を終了することに応じて、胴綱ｔｗのフックｆを足場ＳＦの手すり等から外すことで、当該胴綱ｔｗがその巻取機Ｒｗに巻き取られると、送受信部１３と無胴綱状況判断装置３０との近距離通信Ｃｓが再開され、作業員ＷＭが再び無胴綱状態にあることが検知される（ステップＳ１４（Ｙｅｓ））。
【００３８】
そうすると、前記一連の無胴綱検知処理の先頭からの処理に戻る（ステップＳ１）。
【００３９】
一方、前記ステップＳ６において（Ｎｏ）、つまり、前記作業員ＷＭの胴綱使用区画への侵入が検知され、前記使用区画侵入時間<Ｔ１>が経過していない状態にあって、例えば、当該作業員ＷＭが胴綱使用区画を単に通過したことでその侵入が検知されなくなると、前記タイマ機能Ｔによる計時時間Ｔ１がリセットされ（ステップＳ１５）、前記一連の無胴綱検知処理の先頭からの処理に戻る（ステップＳ１）。
【００４０】
この後、例えば、前記足場ＳＦを解体して別の場所に組み直した場合でも、作業員ＴＷがその組み直した足場ＳＦの作業エリアに前記使用区画決定装置２０を取り付けて作業することで、容易且つ確実に、当該作業員ＴＷの安全帯ＳＢに装着した無胴綱検知装置１０において、前記同様の無胴綱検知処理を行なわせることができる。
【００４１】
なお、前記使用区画決定装置２０は、ＮＦＣタグ２１等のＩＣタグを備えるだけで安価に構成できるため、前記足場ＳＦを別の場所に組み直したり別の足場ＳＦに移動したりして作業エリアを変更する度に、新たな使用区画決定装置２０を接着等によりその足場ＳＦに取り付け、使い捨てて使用する構成としてもよい。
【００４２】
したがって、前記構成の無胴綱検知装置１０によれば、電池電源１６により駆動される近距離無線通信の送受信部１３により、足場ＳＦの作業エリアに着脱自在に取り付けられる使用区画決定装置（ＮＦＣタグ）２０との近距離通信Ｃｅが確立されることで作業員ＷＭの胴綱使用区画（高所作業エリア等）への侵入を検知し、更に、胴綱ｔｗのフックｆにパッチ式の接着等により取り付けられる無胴綱状況判断装置（ＮＦＣタグ）３０との近距離通信Ｃｓが確立されることで作業員ＷＭの無胴綱状態を検知する。
【００４３】
そして、前記作業員ＷＭの胴綱使用区画への侵入を検知すると、音声出力部１４により当該作業員ＷＭの胴綱使用区画への侵入を報知する電子音声『ピヨピヨ』を出力し、更に、前記作業員ＷＭの無胴綱状態を検知すると、音声出力部１４により当該作業員ＷＭの無胴綱状態を警告する電子音声『無胴綱です。フックを掛けて下さい！』を出力する。
【００４４】
これにより、作業エリアが短い期間で変わる場合であっても、大掛かりなシステムを設置し直す必要なく、容易且つ確実に、作業員ＷＭに対して、胴綱使用区画への侵入を報知し、そこでの無胴綱状態を警告できる。
【００４５】
また、前記構成の無胴綱検知装置１０によれば、前記作業員ＷＭの胴綱使用区画への侵入が検知されている状態が、メモリ１２に記憶されている使用区画侵入時間<Ｔ１>のあいだ継続し経過した場合に、前記音声出力部１４により当該作業員ＷＭの胴綱使用区画への侵入を報知する電子音声を出力するので、作業員ＷＭが、例えば単に胴綱使用区画を通過しただけなのにその報知音声が出力されてしまうのを防止できる。
【００４６】
また、前記構成の無胴綱検知装置１０によれば、前記作業員ＷＭの無胴綱が検知されている状態が、メモリ１２に記憶されている無胴綱時間<Ｔ２>のあいだ継続し経過した場合に、前記音声出力部１４により当該作業員ＷＭの無胴綱状態を警告する電子音声を出力するので、作業員ＷＭが、胴綱使用区画に侵入し、例えば胴綱ｔｗのフックｆを足場ＳＦの手すり等に掛けようとしているとき直ぐにその警告音声が出力されてしまうのを防止できる。
【００４７】
なお、前記構成の無胴綱検知装置１０において、作業員ＷＭの胴綱使用区画への侵入を報知する電子音声の内容や当該作業員ＷＭの無胴綱状態を警告する電子音声の内容は、前記実施形態に限定されるものではなく、どのような電子音又は電子音声であってもよい。
【００４８】
また、前記実施形態の無胴綱検知装置１０では、送受信部１３と胴綱ｔｗのフックｆに取り付けた無胴綱状況判断装置（ＮＦＣタグ）３０との近距離通信Ｃｓが確立されることで、胴綱ｔｗがその巻取機Ｒｗに完全に巻き取られて使用されていない距離の範囲にあると判定し、作業員ＷＭの無胴綱状態を検知する構成としたが、前記胴綱ｔｗの巻取機Ｒｗに当該胴綱ｔｗの引き出しを検知してＯＮ又はＯＦＦになるスイッチを設け、このスイッチの動作に基づき無胴綱状態を検知する構成としてもよい。
【００４９】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果で述べられている効果が得られる場合には、この構成要件が削除されたり組み合わされた構成が発明として抽出され得るものである。
【符号の説明】
【００５０】
１０…無胴綱検知装置、１１…制御部、１２…メモリ、
１２ａ…無胴綱検知プログラム、１２ｂ…使用区画侵入時間<Ｔ１>、
１２ｃ…無胴綱時間<Ｔ２>、１３…送受信部、１４…音声出力部、１５…入力部、
１６…電池電源、２０…使用区画決定装置、２２…係止具、
３０…無胴綱状況判断装置、２１，３１…ＮＦＣタグ、ＳＦ…足場、ＷＭ…作業員、
ＳＢ…安全帯、ｔｗ…胴綱（ランヤード）、ｆ…フック、Ｒｗ…巻取機。
【図１】
2018143476.tif 000003
【図２】
2018143476.tif 000004
【図３】
2018143476.tif 000005
【図４】
2018143476.tif 000006